(57)【要約】【課題】自動原稿搬送装置などの開閉装置の開閉動作を繰り返しても、電気ケーブルがダメージを受けるおそれを少なくする。【解決手段】複写機本体（画像形成装置本体）１０と、その複写機本体に対して、支軸１５を中心として開閉自在に設けられている自動原稿搬送装置（開閉装置）１４と、その自動原稿搬送装置と複写機本体とを電気接続する電気ケーブル２６と、その電気ケーブルを支軸の軸線Ｌの位置で軸線方向に向けて保持する保持板（保持部材）３０とが備えられている。【選択図】図３
2008276058.tif 000002
【特許請求の範囲】
【請求項１】
画像形成装置本体と、
その画像形成装置本体に対して、支軸を中心として開閉自在に設けられている開閉装置と、
その開閉装置と前記画像形成装置本体とを電気接続する電気ケーブルと、
その電気ケーブルを前記支軸の軸線位置で軸線方向に向けて保持する保持部材と、
が備えられていることを特徴とする、画像形成装置。
【請求項２】
前記保持部材で前記電気ケーブルが前記支軸の軸線まわりに回転可能に保持されていることを特徴とする、請求項１に記載の画像形成装置。
【請求項３】
前記支軸を中空としてその支軸自体を前記保持部材として利用し、その保持部材内を通して前記電気ケーブルが保持されていることを特徴とする、請求項１または２に記載の画像形成装置。
【請求項４】
前記開閉装置に備える制御基板に対して前記電気ケーブルを接続する接続位置も、前記支軸の軸線上に設けられていることを特徴とする、請求項１ないし３のいずれか１に記載の画像形成装置。
【請求項５】
画像形成装置本体と、
その画像形成装置本体に対して、支軸を中心として開閉自在に設けられている開閉装置と、
その開閉装置と前記画像形成装置本体とを電気接続する電気ケーブルと、
その電気ケーブルを保持する保持部材と、
前記開閉装置の外装カバーに形成して、前記開閉装置内から前記電気ケーブルを引き出す長孔と、
前記開閉装置の開閉動作にともないその長孔内を前記電気ケーブルが移動可能に前記長孔を塞ぐシャッタと、
が備えられていることを特徴とする、画像形成装置。
【発明の詳細な説明】
【技術分野】
【０００１】
この発明は、複写機、ファクシミリ、またはそれらの複合機などの画像形成装置に関する。そのうち特に、複写機本体等の画像形成装置本体と、その画像形成装置本体に対して支軸を中心として開閉自在に設けられている自動原稿搬送装置等の開閉装置と、それらを電気接続する電気ケーブルとが備えられている画像形成装置に関する。
【背景技術】
【０００２】
従来、例えば複写機では、複写機本体の上面にコンタクトガラスが備えられ、そのコンタクトガラスを被うように自動原稿搬送装置（開閉装置）が取り付けられていた。自動原稿搬送装置は、複写機本体上に、支軸を中心として開閉自在に設けられ、複写機本体とは電気ケーブルを介して電気接続されていた。
【０００３】
例えば図９に示すように、複写機本体１には、制御装置（ＣＰＵ）２、メモリ３、電源装置４、安全スイッチ５などが備えられている。一方、自動原稿搬送装置６には、制御装置７、給紙ローラ８、レジストロ−ラ９などが備えられている。
【０００４】
ここで、複写機本体１の制御装置２は、複写機本体１全体の動作を制御する他、自動原稿搬送装置６との間で、複写と原稿搬送に関するタイミング信号等の授受を行う。メモリ３は、制御装置２に接続され、複写機本体１の動作に関するデータの他、自動原稿搬送装置６の非常停止時の状態のデータも記憶される。電源装置４は、複写機本体１内にのみ設けられて制御装置２に接続されており、自動原稿搬送装置６にも電源を供給する。安全スイッチ５は、制御装置２に接続されており、複写機本体１の点検用カバーが閉められているときはオンとされ、開けられているときはオフとされる。
【０００５】
自動原稿搬送装置６の制御装置７は、複写機本体１側の制御装置２との間で信号の授受を行い、例えば現在自動原稿搬送装置６が動作中であるか否かを示すデータなどを制御装置２に送出する。また、コピー原稿を搬送する給紙ローラ８、レジストロ−ラ９などの駆動を制御する。
【０００６】
そして、コピーを取るときには、閉じた自動原稿搬送装置６の原稿台上にコピー原稿がセットされ、または自動原稿搬送装置６を開いてコンタクトガラス上に直接コピー原稿がセットされ、複写機本体１の操作部に設けるコピースイッチを操作することにより、自動原稿搬送装置６の原稿台上にコピー原稿がセットされたときには、コピー原稿を搬送して読取り位置で原稿面を走査しながら原稿情報を読み取り、またコンタクトガラス上に直接コピー原稿がセットされたときには、直ちに原稿情報を読み取る。
【０００７】
【特許文献１】特許第２６３６０５５号公報
【発明の開示】
【発明が解決しようとする課題】
【０００８】
ところが、この種の画像形成装置にあっては、自動原稿搬送装置６を開閉すると、画像形成装置本体と自動原稿搬送装置とを電気接続する電気ケーブルが屈曲したりねじれたりし、画像形成装置本体や自動原稿搬送装置の外装カバーに押し当たって、開閉動作を繰り返すうちに疲労を生じて電気ケーブルがダメージを受ける問題があった。
【０００９】
そこで、この発明の第１の目的は、自動原稿搬送装置などの開閉装置の開閉動作を繰り返しても、電気ケーブルがダメージを受けるおそれの少ない画像形成装置を提供することにある。
【００１０】
この発明の第２の目的は、開閉装置の開閉動作にともなう電気ケーブルのねじれの発生を一層少なくして電気ケーブルのダメージをより低減した画像形成装置を提供することにある。
【００１１】
この発明の第３の目的は、部品点数を増加することなく電気ケーブルのダメージを低減した画像形成装置を提供することにある。
【課題を解決するための手段】
【００１２】
この発明の第１の態様の画像形成装置は、上述した第１の目的を達成すべく、
複写機本体等の画像形成装置本体と、
その画像形成装置本体に対して、支軸を中心として開閉自在に設けられている自動原稿搬送装置等の開閉装置と、
その開閉装置と画像形成装置本体とを電気接続する電気ケーブルと、
その電気ケーブルを支軸の軸線位置で軸線方向に向けて保持する保持部材と、
が備えられていることを特徴とする。
【００１３】
上述した第２の目的を達成すべく、電気ケーブルは、保持部材で、支軸の軸線まわりに回転可能に保持されるようにするとよい。また、上述した第３の目的を達成すべく、支軸を中空としてその支軸自体を保持部材として利用し、その保持部材内を通して電気ケーブルが保持されるようにするとよい。さらに、上述した第２の目的を達成すべく、開閉装置に備える制御基板に対して電気ケーブルを接続する接続位置も、支軸の軸線上に設けられるようにするとよい。
【００１４】
この発明の第２の態様の画像形成装置は、上述した第１の目的を達成すべく、
画像形成装置本体と、
その画像形成装置本体に対して、支軸を中心として開閉自在に設けられている開閉装置と、
その開閉装置と画像形成装置本体とを電気接続する電気ケーブルと、
その電気ケーブルを保持する保持部材と、
開閉装置の外装カバーに形成して、開閉装置内から電気ケーブルを引き出す長孔と、
開閉装置の開閉動作にともないその長孔内を電気ケーブルが移動可能に長孔を塞ぐシャッタと、
が備えられていることを特徴とする。
【発明の効果】
【００１５】
この発明の第１の態様の画像形成装置によれば、開閉装置と画像形成装置本体とを電気接続する電気ケーブルが、開閉装置の開閉支軸の軸線位置で軸線方向に向けて、保持部材により保持されているので、開閉装置を開閉しても、保持位置から画像形成装置本体側の電気ケーブルは移動せず、屈曲したりねじれたりしないから、開閉装置の開閉動作を繰り返しても、電気ケーブルがダメージを受けるおそれの少ない画像形成装置を提供することができる。
【００１６】
このとき、電気ケーブルが、保持部材で、開閉装置の開閉支軸の軸線まわりに回転可能に保持されていると、開閉装置の開閉動作にともない電気ケーブルが軸線まわりに回転してねじれが発生することを一層少なくし、電気ケーブルが受けるダメージをより低減した画像形成装置を提供することができる。
【００１７】
また、支軸を中空としてその支軸自体を保持部材として利用し、その保持部材内を通して電気ケーブルが保持されていると、別途保持部材を設けることなく支軸で保持部材を兼用して、部品点数を増加することなく電気ケーブルが受けるダメージを低減した画像形成装置を提供することができる。
【００１８】
さらに、開閉装置に備える制御基板に対して電気ケーブルを接続する接続位置も、支軸の軸線上に設けられていると、開閉装置を開閉しても、開閉装置内の電気ケーブルはほとんど移動せず、屈曲したりねじれたりしないから、開閉装置の開閉動作を繰り返しても、電気ケーブルがダメージを受けるおそれの少ない画像形成装置を提供することができる。
【００１９】
この発明の第２の態様の画像形成装置によれば、開閉装置の開閉動作にともない、開閉装置と画像形成装置本体とを電気接続する電気ケーブルが、開閉装置の外装カバーの長孔内を移動するので、開閉装置を開閉しても、電気ケーブルが屈曲したりねじれたりせず、開閉装置の開閉動作を繰り返しても、電気ケーブルがダメージを受けるおそれの少ない画像形成装置を提供することができる。また、開閉装置の開閉動作にともない長孔内を移動するように電気ケーブルを保持しながら長孔を塞ぐシャッタを備えるので、開閉装置の開閉動作に関係なく常にシャッタで長孔を塞いで、開閉装置内が見えないようにし、外観を保つことができる。
【発明を実施するための最良の形態】
【００２０】
以下、図面を参照しつつ、この発明の実施の最良形態につき説明する。
図１には、この発明による画像形成装置の一例である複写機において、自動原稿搬送装置を開いた状態を示す。
【００２１】
図中符号１０は、画像形成装置本体である複写機本体であり、内部に作像装置、給紙装置、画像読取装置などが備えられている。複写機本体１０の上面には、面積の大きな矩形のコンタクトガラス１１が取り付けられるとともに、その左辺に沿って面積の小さな細長いスリットガラス１２が設けられている。また、コンタクトガラス１１の背面側には、２つの支持台１３、１３が間隔をあけて設置され、それらの支持台１３、１３により開閉装置である自動原稿搬送装置１４が支軸１５を中心として上下に開閉自在に備えられている。自動原稿搬送装置１４には、原稿台１６と排紙台１７とが上下に設けられている。
【００２２】
そして、コピー原稿が複数枚のシートなどの場合には、自動原稿搬送装置１４を閉じて原稿台１６上に積載してセットされ、複写機本体１０の不図示の操作部のコピースイッチを操作することにより原稿が一枚ずつ送り出され、スリットガラス１２位置で搬送原稿の原稿面を走査して複写機本体１０の画像読取装置により画像情報が順に読み取られて後、排紙台１７上に排出される。
【００２３】
一方、コピー原稿がブック原稿などの場合には、自動原稿搬送装置１４を開いてコンタクトガラス１１上にセットされ、複写機本体１０の不図示の操作部のコピースイッチを操作することにより複写機本体１０の画像読取装置の走行体を移動して原稿面を走査し、画像読取装置により画像情報が読み取られる。
【００２４】
そして、複写機本体１０内では、画像読取装置からの読取り信号に基づき、作像装置により、給紙装置から送られてくる記録媒体に画像が形成される。その後、画像記録済みの記録媒体が不図示の排紙スタック部上に排出される。
【００２５】
図２には、自動原稿搬送装置の背面側に設ける外装カバー内の構成を示す。
図中符号１６が上述した自動原稿搬送装置１４の原稿台であり、１７が排紙台である。それらの背面側には仕切り板２０が立てて設けられ、その仕切り板２０の後側が外装カバー２１で被われている。外装カバー２１内には、仕切り板２０に固着して２つの取付板２２が間隔をあけて設けられている。取付板２２は、コ字状に折り曲げられ、背面が仕切り板２０に固着されて二股となった先端で上述した支持台１３を挟み、その支持台１３に２つの支軸１５で回動自在に取り付けられている。２つの支軸１５は、同一軸線Ｌ上に設けられる。
【００２６】
また、２つの支持台１３、１３間には、原稿搬送用のモータ２３が設置されている。モータ２３は、外装カバー２１内で適宜支持される制御基板２４に接続される。制御基板２４には、コネクタ２５を用いて電気ケーブル２６の一端が接続されている。電気ケーブル２６は、外装カバー２１から引き出され、他端に取り付ける接続コネクタ２７を用いて複写機本体１０に接続される。そして、この電気ケーブル２６を介して自動原稿搬送装置１４と複写機本体１０とが電気接続され、複写機本体１０から自動原稿搬送装置１４に電源供給され、また複写機本体１０と自動原稿搬送装置１４との間で電気信号の授受が行われる。
【００２７】
図３には、図２の一部を拡大して示す。
図３に示すように、外装カバー２１内には、保持部材である保持板３０が取り付けられている。保持板３０は、Ｌ字型をなし、一端がねじ止め等により外装カバー２１内の底部に固定されて他端が立てて保持され、その上端に保持孔３１があけられている。保持孔３１にはブッシュ３２を介して電気ケーブル２６を通し、電気ケーブル２６が支軸１５の軸線Ｌの位置で、軸線Ｌ方向に向けて保持される。
【００２８】
図示例では、保持孔３１にブッシュ３２を介して電気ケーブル２６が保持されるようになっているが、ブッシュ３２に代えてベアリング等を用い、保持板３０で電気ケーブル２６が支軸１５の軸線Ｌまわりに回転可能に保持されるようにしてもよい。このようにすると、自動原稿搬送装置１４の開閉動作にともない電気ケーブル２６が軸線Ｌまわりに回転してねじれの発生を一層少なくし、電気ケーブル２６が受けるダメージをより低減することができる。
【００２９】
図４には、電気ケーブル保持構造の他例を示す。
この図４に示す例では、支持台１３で支持する支軸１５を中空として、その支軸１５自体を保持部材として利用し、その保持部材内を通して電気ケーブル２６が軸線Ｌの位置で軸線Ｌの方向に向けて保持されるようにする。
【００３０】
このようにすると、図３の保持板３０などを設けることなく、支軸１５で保持部材を兼用して、部品点数を増加することなく電気ケーブル２６が受けるダメージを低減することができる。支軸１５内で、電気ケーブル２６は、前述した例と同様に、ブッシュを介して支持するようにしてもよく、またベアリングを介して支持するようにしてもよい。
【００３１】
図５には、電気ケーブル保持構造のまた他例を示す。
この図５に示す例では、支軸１５を中空として、その支軸１５自体を保持部材として利用し、その保持部材内を通して電気ケーブル２６が軸線Ｌの位置で軸線Ｌの方向に向けて保持されるようにするとともに、自動原稿搬送装置１４に備える制御基板２４に対してコネクタ２５を用いて電気ケーブル２６を接続する接続位置も、支軸１５の軸線Ｌ上に設けられるようにする。
【００３２】
このようにすると、自動原稿搬送装置１４を開閉しても、自動原稿搬送装置１４内の電気ケーブル２６はほとんど移動せず、屈曲したりねじれたりしないから、自動原稿搬送装置１４の開閉動作を繰り返しても、電気ケーブル２６が受けるダメージを少なくすることができる。
【００３３】
図６にはこの発明による画像形成装置の他例である複写機を右横から見て示し、図７にはその複写機を後ろから見て示す。図８には、その自動原稿搬送装置を開いた状態を右横から見て示す。
【００３４】
同様に、図中符号１０が、画像形成装置本体である複写機本体であり、１４が、その複写機本体１０に対して、不図示の支軸を中心として開閉自在に設けられている開閉装置である自動原稿搬送装置である。複写機本体１０と自動原稿搬送装置１４とは、電気ケーブル２６で電気接続されている。
【００３５】
自動原稿搬送装置１４には、原稿台１６と排紙台１７とが上下に備えられ、それらの背面側に外装カバー２１が設けられている。外装カバー２１内には、適宜支持して制御基板２４が備えられ、その制御基板２４にコネクタ２５を用いて電気ケーブル２６の一端が電気接続されている。電気ケーブル２６は、外装カバー２１内において、保持部材である保持板３０でブッシュやベアリングを介して保持され、外装カバー２１の長孔３４を通して自動原稿搬送装置１４内から背面側に引き出され、接続コネクタ２７を用いて他端が複写機本体１０の背面に接続される。
【００３６】
外装カバー２１の長孔３４は、自動原稿搬送装置１４の開閉動作にともない電気ケーブル２６が移動するように縦方向に長く形成され、レール３７に沿って上下に移動することができるシャッタ３５で塞がれている。シャッタ３５にはケーブル挿通孔３６があけられており、そのケーブル挿通孔３６に電気ケーブル２６が挿通される。そして、自動原稿搬送装置１４の開閉動作にともない、シャッタ３５をレール３７に沿って押し上げたり押し下げたりして、長孔３４内で電気ケーブル２６が移動可能とされる。
【００３７】
自動原稿搬送装置１４の内部に、電気ケーブル２６を支軸の軸線位置で軸線方向に向けて保持することができないスペース上の制約がある場合、このようにすると、自動原稿搬送装置１４を開閉しても、電気ケーブル２６が屈曲したりねじれたりせず、自動原稿搬送装置１４の開閉動作を繰り返しても、電気ケーブル２６がダメージを受けるおそれを少なくすることができる。
【００３８】
また、自動原稿搬送装置１４の開閉動作に関係なく常にシャッタ３５で長孔３０を塞いで、自動原稿搬送装置１４内が見えないようにし、外観を保つことができる。
【図面の簡単な説明】
【００３９】
【図１】この発明による画像形成装置の一例である複写機において、上部を、自動原稿搬送装置を開いた状態を示す斜視図である。
【図２】その自動原稿搬送装置の背面側に設ける外装カバー内の構成を示す斜視図である。
【図３】その部分拡大斜視図である。
【図４】電気ケーブル保持構造の他例を示す斜視図である。
【図５】電気ケーブル保持構造のまた他例を示す斜視図である。
【図６】この発明による画像形成装置の他例である複写機の上部右側面図である。
【図７】その背面図である。
【図８】その自動原稿搬送装置を開いた状態の右側面図である。
【図９】自動原稿搬送装置を備える複写機の制御ブロック図である。
【符号の説明】
【００４０】
１０    複写機本体（画像形成装置本体）
１１    コンタクトガラス
１２    スリットガラス
１３    支持台
１４    自動原稿搬送装置（開閉装置）
１５    支軸
１６    原稿台
１７    排紙台
２０    仕切り板
２１    外装カバー
２２    取付板
２３    モータ
２４    制御基板
２５    コネクタ
２６    電気ケーブル
２７    接続コネクタ
３０    保持板（保持部材）
３１    保持孔
３２    ブッシュ
３４    長孔
３５    シャッタ
３６    ケーブル挿通孔
３７    レール
Ｌ    軸線
【図１】
2008276058.tif 000003
【図２】
2008276058.tif 000004
【図３】
2008276058.tif 000005
【図４】
2008276058.tif 000006
【図５】
2008276058.tif 000007
【図６】
2008276058.tif 000008
【図７】
2008276058.tif 000009
【図８】
2008276058.tif 000010
【図９】
2008276058.tif 000011